(57)【要約】【課題】光強度が低い場所があっても、全体の発電電力量が落ちないようにする。【解決手段】表示装置１は、表示面と、表示面を取り囲むように配置される枠体３と、枠体の内部に配置される太陽電池４と、太陽電池の発電電力を電源として利用して、表示面の少なくとも一部に画像を表示する表示部６と、を備える。【選択図】図１
2016024374.tif 000002
【特許請求の範囲】
【請求項１】
表示面と、
前記表示面を取り囲むように配置される枠体と、
前記枠体の内部に配置される太陽電池と、
前記太陽電池の発電電力を電源として利用して、前記表示面の少なくとも一部に画像を表示する表示部と、を備える表示装置。
【請求項２】
前記枠体は、天地方向に配置され、
地面側に配置される前記太陽電池の発電有効面のサイズは、天面側に配置される前記太陽電池の発電有効面のサイズよりも大きい請求項１に記載の表示装置。
【請求項３】
前記枠体は、天方向に配置される第１枠部と、地面方向に配置され前記第１枠部に対向配置される第２枠部と、を有し、
前記第２枠部の内部に配置される前記太陽電池の発電有効面のサイズは、前記第１枠部の内部に配置される前記太陽電池の発電有効面のサイズよりも大きい請求項２に記載の表示装置。
【請求項４】
前記枠体は、前記第１枠部および前記第２枠部に交差する方向に配置され、前記第１枠部の端部と前記第２枠部の端部とに接合される第３枠部および第４枠部を有し、
前記第３枠部および前記第４枠部のそれぞれの内部には複数の前記太陽電池が配置され、これら複数の太陽電池のうち、地面側の太陽電池の発電有効面のサイズは、天側の太陽電池の発電有効面のサイズよりも大きい請求項３に記載の表示装置。
【請求項５】
前記表示面は、電気的な画像を表示する第１表示面領域と、所定の絵柄を表示する第２表示面領域と、を有し、
前記太陽電池の発電電力を電源として利用して、前記第１表示面領域に表示する画像を生成する表示部をさらに備える請求項１乃至４のいずれかに記載の表示装置。
【請求項６】
前記枠体の内部には、絵柄層と、この絵柄層を通過した光を拡散させる拡散層と、前記太陽電池と、を積層した積層物が設けられ、
前記拡散層で拡散された光は、前記太陽電池の発電有効面に導かれる請求項１乃至５のいずれかに記載の表示装置。
【請求項７】
前記太陽電池の色が前記枠体を通して視認されないように、前記枠体の内部または前記枠体の上面に配置される色調整層を備える請求項１乃至６のいずれかに記載の表示装置。
【発明の詳細な説明】
【技術分野】
【０００１】
本発明は、太陽電池を備えた表示装置に関する。
【背景技術】
【０００２】
二酸化炭素等の温暖化ガスの削減を図る一環として、太陽電池の普及が進んでいる。ただし、太陽電池は単位面積当たりの発電能力がそれほど高くないため、太陽電池で電気機器を駆動するのは容易ではない。
【０００３】
一方、電子インクを用いた電子ペーパーは、液晶表示装置と比べて格段に消費電力が少ないため、太陽電池で駆動することも可能である。太陽電池で電子ペーパーを駆動すると、電源コードや電池交換が不要となるため、広告宣伝用のデジタルサイネージ用途で電子ペーパーを用いることも可能となる（特許文献１参照）。
【０００４】
電子ペーパー等の表示装置の電源として太陽電池を用いる場合、太陽光や照明光がよく当たる箇所に太陽電池を配置する必要がある。このため、表示装置の上面や正面に太陽電池を配置することが考えられる。ところが、表示装置の上面や正面は目に付きやすい箇所であり、太陽電池が露出されていると表示装置の外観デザインを損ねることになりやすい。また、太陽電池は一般に黒に近い色であり、表示装置の外観の色にも制限を設けることになる。さらに、太陽電池で発電した電力は、配線ケーブルを介して表示装置の制御回路に接続しなければならず、配線ケーブルが表示装置の外表面に露出されて、余計に外観を損ねることになる。
【先行技術文献】
【特許文献】
【０００５】
【特許文献１】特許５２０６８９９号公報
【発明の概要】
【発明が解決しようとする課題】
【０００６】
しかしながら、太陽電池で高い発電電力を得ようとすると、使用する太陽電池モジュールの数も増えることから、表示装置の例えば上面だけに太陽電池モジュールを配置しただけでは、十分な発電電力を得ることができないことが予想される。
【０００７】
また、太陽電池は、太陽光や照明光の光強度に応じて発電電力が変化するため、光強度が低い場所に太陽電池モジュールを配置しても、十分な発電電力が得られない。さらに、複数の太陽電池モジュールを直列接続して用いる場合、そのうちの最も発電電力の低い太陽電池モジュールによって全体の発電電力量が制限されるという問題がある。
【０００８】
本発明は、上述した課題に鑑みてなされたものであり、その目的は、見栄えを損ねることなく、十分な発電能力を発揮可能な太陽電池を備えた表示装置を提供することにある。
【課題を解決するための手段】
【０００９】
上記の課題を解決するために、本発明の一態様では、
表示面と、
前記表示面を取り囲むように配置される枠体と、
前記枠体の内部に配置される太陽電池と、
前記太陽電池の発電電力を電源として利用して、前記表示面の少なくとも一部に画像を表示する表示部と、を備える表示装置が提供される。
【００１０】
前記枠体は、天地方向に配置されてもよく、
地面側に配置される前記太陽電池の発電有効面のサイズは、天面側に配置される前記太陽電池の発電有効面のサイズよりも大きくてもよい。
【００１１】
前記枠体は、天方向に配置される第１枠部と、地面方向に配置され前記第１枠部に対向配置される第２枠部と、を有してもよく、
前記第２枠部の内部に配置される前記太陽電池の発電有効面のサイズは、前記第１枠部の内部に配置される前記太陽電池の発電有効面のサイズよりも大きくてもよい。
【００１２】
前記枠体は、前記第１枠部および前記第２枠部に交差する方向に配置され、前記第１枠部の端部と前記第２枠部の端部とに接合される第３枠部および第４枠部を有してもよく、
前記第３枠部および前記第４枠部のそれぞれの内部には複数の前記太陽電池が配置され、これら複数の太陽電池のうち、地面側の太陽電池の発電有効面のサイズは、天側の太陽電池の発電有効面のサイズよりも大きくてもよい。
【００１３】
前記表示面は、電気的な画像を表示する第１表示面領域と、所定の絵柄を表示する第２表示面領域と、を有してもよく、
前記太陽電池の発電電力を電源として利用して、前記第１表示面領域に表示する画像を生成する表示部をさらに備えてもよい。
【００１４】
前記枠体の内部には、絵柄層と、この絵柄層を通過した光を拡散させる拡散層と、前記太陽電池と、を積層した積層物が設けられてもよく、
前記拡散層で拡散された光は、前記太陽電池の発電有効面に導かれてもよい。
【００１５】
前記太陽電池の色が前記枠体を通して視認されないように、前記枠体の内部または前記枠体の上面に配置される色調整層を備えてもよい。
【発明の効果】
【００１６】
本発明によれば、見栄えを損ねることなく、十分な発電能力を発揮可能な太陽電池を備えた表示装置を提供できる。
【図面の簡単な説明】
【００１７】
【図１】本発明の第１の実施形態による表示装置１の斜視図。
【図２】図１のＡ−Ａ線断面図。
【図３】表示装置１の正面図。
【図４】枠体３の前面に絵柄フィルム１７を配置する例を示す断面図。
【図５】第２の実施形態による表示装置１の正面図。
【発明を実施するための形態】
【００１８】
以下、図面を参照して本発明の実施の形態について説明する。なお、本件明細書に添付する図面においては、図示と理解のしやすさの便宜上、適宜縮尺および縦横の寸法比等を、実物から変更し誇張してある。
【００１９】
なお、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２０】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００２１】
さらに、本明細書において、「シート面（フィルム面、板面、パネル面）」とは、対象となるシート状の部材を全体的かつ大局的に見た場合において対象となるシート状部材の平面方向と一致する面のことを指す。以下に説明する実施形態においては、後述する絵柄層と、拡散層と、太陽電池パネルのパネル面と、電子ペーパー装置の表示媒体層とは、いずれも平行であるか、若干傾斜して配置される場合もあるが、本明細書では各層を総称してシート面と呼ぶこともある。また、本明細書において、シート状（フィルム状、板状、パネル状）の部材に対して用いる「法線方向」とは、当該部材のシート面への法線方向のことを指す。
【００２２】
（第１の実施形態）
【００２３】
図１は本発明の第１の実施形態による表示装置１の斜視図、図２は図１のＡ−Ａ線断面図、図３は表示装置１の正面図である。図１の表示装置１は電子ペーパー装置を用いた表示装置である。
【００２４】
図１および図２の表示装置１は、表示面２と、表示面２の縁部を取り囲むように配置される枠体３と、枠体３の内部に配置される太陽電池４と、太陽電池４の発電電力を電源として利用する制御回路５と、制御回路５により制御される電子ペーパー装置（表示部）６とを備えている。
【００２５】
本実施形態による表示装置１は、設置面に縦置きすることを想定している。枠体３は矩形状であり、天地方向に配置される第１および第２枠部３ａ，３ｂと、設置面に水平に配置される第３および第４枠部３ｃ，３ｄとを有する。図３に破線で示すように、第１〜第４枠部３ａ〜３ｄのそれぞれの内部に複数の太陽電池モジュール１０が配置されている。図３では、第１および第２枠部３ａ，３ｂにそれぞれ２個の太陽電池モジュール１０を配置し、第３および第４枠部３ｃ，３ｄにそれぞれ３個の太陽電池モジュール１０を配置する例を示しているが、各枠部に配置する太陽電池モジュール１０の数は任意である。本明細書では、枠体３の内部に配置される太陽電池モジュール１０を総称して太陽電池４と呼ぶ。
【００２６】
枠体３の内部に配置される太陽電池モジュール１０は、図２に示すように、枠体３の前面板の裏面側に配置される拡散層１１と、拡散層１１の裏面側に配置されるＰＶ（Photovoltaic）層１２とを有する。太陽電池モジュール１０は、複数の太陽電池パネルを直列接続したものであり、各太陽電池パネルは複数の太陽電池セルを直列接続したものである。各太陽電池セルは、図２に示す拡散層１１とＰＶ層１２とを有する。枠体３の少なくとも前面は、光を透過させることが可能な光透過層で形成されている。
【００２７】
枠体３の前面が光透過層で形成されている場合、枠体３の内部の太陽電池モジュール１０が枠体３の前面側から視認されてしまい、表示装置１の意匠性を損ねるおそれがある。そこで、枠体３の内部のＰＶ層１２と拡散層１１とが重なる領域と、それ以外の領域とが同系色の色になるようにする。
【００２８】
枠体３の内部には拡散層１１とＰＶ層１２が設けられ、これに加えて、枠体３の内部または上面に絵柄層と色調整層を設ける場合がある。これら４つの層の位置関係は、表示装置１の前面側から裏面側にかけて、以下の５通りの配置が考えられる。
【００２９】
１．絵柄層／枠体３の前面／拡散層１１（ＰＶ層１２の直上のみ）／ＰＶ層１２
２．絵柄層／枠体３の前面／拡散層１１（ＰＶ層１２の直上と、ＰＶ層１２の周囲に設けたＰＶ層１２と同色の色調整層の直上／ＰＶ層１２
３．絵柄層／色調整層（ＰＶ層１２のない領域）／枠体３の前面／拡散層１１（ＰＶ層１２の直上）／ＰＶ層１２
４．絵柄層／拡散層１１（ＰＶ層１２の直上と色調整層の直上）／色調整層（ＰＶ層１２と上下に重ならない領域）／枠体３の前面／ＰＶ層１２
５．枠体３／絵柄層（ＰＶ層１２の直上と色調整層の直上）／拡散層１１（ＰＶ層の直上と色調整層の直上）／ＰＶ層とその周囲の色調整層
【００３０】
上記３の色調整層は、枠体３、拡散層１１およびＰＶ層１２を重ねた色と同系色になるように調整される。上記４では、拡散層１１と色調整層を重ねた色が、拡散層１１，枠体３およびＰＶ層１２を重ねた色と同系色になるように調整される。上記５では、拡散層１１と色調整層を重ねた色が拡散層１１とＰＶ層１２を重ねた色と同系色になるようにする。
【００３１】
ここで、同系色とは、色相環で近い色にある色のことを指し、明度差が小さい場合には色相差があっても視覚的には同色に視認されるため、明度差も考慮に入れて同系色かどうかを判断する。
【００３２】
なお、絵柄層を設けない場合は、上記１〜５から絵柄層を除くだけでよく、他の層の位置関係には影響しない。
【００３３】
図３に示すように、表示面２は、電子ペーパー装置６による電気的な画像を表示する第１表示面領域７と、所定の絵柄を表示する第２表示面領域８とを有する。第１表示面領域７は表示面２の略中央部に設けられ、第２表示面領域８は第１表示面領域７を取り囲むように配置されている。なお、第１表示面領域７と第２表示面領域８の位置関係は図３に示したものに限定されない。
【００３４】
第２表示面領域８には、絵柄フィルム９に印字された絵柄が表示される。なお、表示面２に第２表示面領域８を設けることは必須ではない。すなわち、表示面２の全体を第１表示面領域７として、電子ペーパー装置６による電気的な画像を表示してもよい。なお、絵柄フィルム９上の絵柄は、第１表示面領域７にも設けられてもよい。この場合、第１表示面領域７には、絵柄と電子ペーパー装置６が生成した電気的な画像とが合成して表示されることになる。また、絵柄フィルム９の代わりに、第１表示面領域７と重なる領域がくり抜かれたシート状部材（例えば、紙）に絵柄を印刷してもよい。
【００３５】
電子ペーパー装置６は、電気的な画像を生成する表示媒体層１３を有する。この表示媒体層１３は、図２に示すように、第１表示面領域７の裏面側に配置されている。ＰＶ層１２の上方には拡散層１１が配置されているのに対し、表示媒体層１３の上方には拡散層１１は配置されておらず、絵柄フィルム９が配置されている。なお、表示媒体層１３の上方にも、拡散層１１を配置してもよい。この場合、表示媒体層１３に形成される画像が拡散層１１で拡散されるために、正面から見ると、輪郭が不鮮明な画像が視認されることになる。
【００３６】
絵柄フィルム９の上面には、表示媒体層１３の直上を避けるようにして、絵柄が印字されている。この絵柄は、電子ペーパー装置６が駆動しているか否かにかかわらず、表示面２上で視認可能となる。また、電子ペーパー装置６が駆動している場合は、図１に示すように、表示媒体層１３に形成された画像の周囲に絵柄が表示されることになり、絵柄と電子ペーパー装置６による画像とを合成した合成画像が生成される。
【００３７】
絵柄フィルム９上に印字された絵柄は、例えば、インクのドットの密度やサイズを変えることにより形成されている。あるいは、不透明または半透明の印刷により絵柄を形成してもよい。絵柄は、例えば文字、数字、記号、絵画像、写真画像などの、印刷技術を利用して印字可能な任意の印字情報であり、絵柄の具体的なデザインは問わない。
【００３８】
ストライプ状あるいは格子状の開口部を有する絵柄フィルム９を用いてもよい。この場合、開口部を介して光がＰＶ層１２に入射されるため、ＰＶ層１２で発電を行うことができる。また、一つ一つの開口部のサイズが小さい場合には、ある程度距離を離して表示面２を視認すると、開口部の存在がわからない程度に連続した絵柄を視認でき、意匠性にも優れた絵柄を形成可能である。
【００３９】
絵柄フィルム９は、例えば、アクリル、スチレン、ポリカーボネート、ポリエチレンテレフタレート、アクリロニトリル等の一以上を主成分とする透明樹脂で形成可能である。拡散層１１は、例えば、透明な樹脂バインダに光拡散剤を分散した組成物である。バインダ樹脂は、例えばポリエステル樹脂、ポリ塩化ビニル樹脂、アクリル系樹脂、エポキシ樹脂、ポリオレフィン樹脂を単独又はこれらの混合物を用いることができる。光拡散剤としては、有機または無機の拡散剤を使用できる。表示媒体層１３は、例えば、ツイストボールと表示媒体層用部材とで構成可能である。
【００４０】
図２に示すように、ＰＶ層１２と表示媒体層１３の裏面側には裏面ボード１４が配置されており、枠体３は裏面ボード１４の端部と表示面２の端部とを把持するように配置されている。なお、裏面ボード１４と枠体３とが一体成形されていてもよい。
【００４１】
ＰＶ層１２および表示媒体層１３と裏面ボード１４との間には、制御回路５が配置されている。制御回路５は、電子ペーパー装置６の表示媒体層１３に供給される電圧信号を生成する。表示媒体層１３は、制御回路５からの電圧信号に基づいて、電気的な画像を生成する。なお、制御回路５が行う処理動作は、上述した電圧信号の生成に限らない。例えば、表示媒体層１３に形成する画像の生成や、画像の切替タイミングの制御などを行ってもよい。また、後述するように、表示装置１内に電子ペーパー装置６以外の制御対象物が存在する場合には、その制御対象物の制御も制御回路５で行ってもよい。
【００４２】
制御回路５は、太陽電池４の発電電力を電源として利用する。このため、太陽電池４と制御回路５との間には、電源電圧を供給するための配線ケーブル１５が設けられている。また、制御回路５と電子ペーパー装置６の表示媒体層１３との間にはフラットケーブル１６が設けられている。
【００４３】
図３に示すように、枠体３の内部に配置される太陽電池モジュール１０は、必ずしもサイズが同じではなく、特に天側に配置される第１枠部３ａ内の太陽電池モジュール１０と地面側に配置される第２枠部３ｂ内の太陽電池モジュール１０とはサイズを相違させている。より具体的には、地面側に配置される第２枠部３ｂ内の太陽電池モジュール１０の発電有効面サイズを、天側に配置される第１枠部３ａ内の太陽電池モジュール１０の発電有効面サイズよりも大きくしている。これは、第１枠部３ａ内の太陽電池モジュール１０での発電電力と第２枠部３ｂ内の太陽電池モジュール１０での発電電力との差異をできるだけ少なくするためである。ここで、発電有効面とは、太陽電池モジュール１０内の光照射面のうち、発電に寄与する面領域を指す。
【００４４】
本実施形態による表示装置１は、設置面（地面）に対して縦置きされることを前提としており、表示装置１に入射される太陽光や照明光の光強度は、天側に配置される第１枠部３ａの方が地面側に配置される第２枠部３ｂよりも高くなる。よって、第１枠部３ａと第２枠部３ｂで太陽電池モジュール１０のサイズを同一にしたとすると、第１枠部３ａの方が発電電力が高くなり、太陽電池モジュール１０全体の発電電力は、第１〜第４枠部３ａ〜３ｄの中で最も発電電力が少ない第２枠部３ｂの発電電力によって制限されてしまう。
【００４５】
そこで、本実施形態では、光強度の低い第２枠部３ｂ内の太陽電池モジュール１０の発電有効面のサイズを第１枠部３ａ内の太陽電池モジュール１０の発電有効面のサイズよりも大きくして、第２枠部３ｂ内の太陽電池モジュール１０の発電電力と第１枠部３ａ内の太陽電池モジュール１０の発電電力との差異ができるだけ小さくなるようにする。これにより、表示装置１での発電電力が極端に低くなることを防止できる。
【００４６】
第１枠部３ａと第２枠部３ｂで、太陽電池モジュール１０の発電有効面のサイズをどの程度相違させるべきかの条件は、枠体３の外形サイズや太陽電池モジュール１０の発電特性、表示装置１の設置場所、表示面２への入射光の入射角度などによって変わりうる。また、表示装置１を設置面の法線方向に配置する場合と、法線方向から傾けて配置する場合とでは、第１枠部３ａと第２枠部３ｂに入射される光強度が異なり、また表示装置１の傾斜角度が変化すると光強度も変化するため、これらの種々の条件を考慮に入れて、第１枠部３ａと第２枠部３ｂにおける太陽電池モジュール１０の発電有効面のサイズを最適化するのが望ましい。
【００４７】
上述したように、表示装置１の発電能力は、第１〜第４枠部３ａ〜３ｄ内の各太陽電池モジュール１０の発電電力に依存するが、上述したように、第１〜第４枠部３ａ〜３ｄ内に配置する各太陽電池モジュール１０の発電有効面のサイズを調整することで、総発電量を調整できる。本実施形態では、表示装置１の発電電力を利用して、電子ペーパー装置６を駆動する。電子ペーパー装置６の電源として、表示装置１の発電電力だけで足りない場合は、電池等の補助バッテリを兼用してもよい。
【００４８】
なお、本実施形態による表示装置１は、電子ペーパー装置６以外の制御対象物を備えていてもよい。電子ペーパー装置６以外の制御対象物の一例としては、太陽電池４の発電電力を電源として利用する、周囲の環境条件を検知する各種センサである。より具体的には、人感センサ、温度センサ、湿度センサ、加速度センサ、ＧＰＳ（Global Positioning System）センサなどが考えられる。
【００４９】
人感センサは、表示装置１の周囲に人間がいるか否かを検知するものであり、人感センサにて周囲に人間がいることが検知されると、例えば、表示装置１の脇に置かれた不図示の大型ディスプレイ装置の電源をオンして、広告情報などを表示してもよい。また、人感センサにて、各人間が表示装置１の表示を見ていた時間の長さを収集してもよい。この場合、各人間が表示を見ていた時間の長さを蓄積するための記憶装置と記憶制御装置を表示装置１に設ければよい。これら記憶装置と記憶制御装置の電源は、太陽電池４の発電電力を利用してもよいし、発電電力だけでは不足する場合には、補助用のバッテリ（電池）を設けてもよい。このように、太陽電池４は外部バッテリと併用してもよい。
【００５０】
図２に示すように、枠体３の前面は枠体３の色がそのまま視認されることになり、絵柄層９上の絵柄と違和感を感じさせることが考えられる。そこで、図４に示すように、枠体３の前面に絵柄層１７を配置して、表示面２における絵柄との統一感を持たせてもよい。この場合、絵柄層１７を介して枠体３を通過する光量は、絵柄層１７がない場合と比べて減少するが、拡散層１１により光が均一化された状態でＰＶ層１２に入射されるため、ある程度の発電量は確保できる。この絵柄層１７は、上述した色調整層と一体化してもよいし、色調整層とは別個に設けてもよい。色調整層を絵柄層１７とともに用いる場合は、ＰＶ層１２が絵柄層１７を介して視認されないように色調整層で色調整を行う。
【００５１】
このように、第１の実施形態では、枠体３の内部に太陽電池モジュール１０を配置するため、太陽電池モジュール１０を枠体３の上面等に露出するように配置する場合と比べて、意匠性がよくなる。また、枠体３を前面を通して太陽電池モジュール１０が透けて視認されないように、枠体３や拡散層１１等で色調整することで、太陽電池モジュール１０が枠体３の内部に配置されることを外側からほとんど視認できなくすることができ、さらに見栄えがよくなる。
【００５２】
また、枠体３の天側に配置される第１枠部３ａよりも、地面側に配置される第２枠部３ｂ内の太陽電池モジュール１０の発電有効面の面積を大きくすることで、第２枠部３ｂに入射される光強度が第１枠部３ａよりも低くても、両枠部内の太陽電池モジュール１０の発電電力の差異を小さくすることができ、表示装置１の全体での発電能力の低下を防止できる。
【００５３】
（第２の実施形態）
上述した第１の実施形態では、第１枠部３ａと第２枠部３ｂで太陽電池モジュール１０の発電有効面のサイズを相違させる例を示したが、以下に説明する第２の実施形態では、天地方向に配置される第３枠部３ｃと第４枠部３ｄ内の太陽電池モジュール１０の発電有効面のサイズを調整するものである。
【００５４】
図５は第２の実施形態による表示装置１の正面図である。図５の表示装置１では、図３と同様に、枠体３の第２枠部３ｂ内の太陽電池モジュール１０の発電有効面のサイズを第１枠部３ａ内の太陽電池モジュール１０の発電有効面のサイズよりも大きくしている。
【００５５】
また、図５では、第３枠部３ｃと第４枠部３ｄ内の太陽電池モジュール１０の発電有効面のサイズを、天側ほど小さく、地面側ほど大きくしている。図５では、第３枠部３ｃと第４枠部３ｄにそれぞれ３つの太陽電池モジュール１０が配置される例を示しており、これら３つの太陽電池モジュール１０の発電有効面のサイズを３つとも相違させて、一番小さいものは天側に、次に小さいものは中央に、一番大きいものは地面側にそれぞれ配置している。
【００５６】
図５では、第３枠部３ｃと第４枠部３ｄのそれぞれがサイズの異なる３種類の太陽電池モジュール１０を有する例を示したが、サイズの異なる２種類の太陽電池モジュール１０を有していてもよい。すなわち、天側の２つの太陽電池モジュール１０と地面側の１つの太陽電池モジュール１０とで、発電有効面のサイズを相違させてもよい。あるいは、天側の１つの太陽電池モジュール１０と地面側の２つの太陽電池モジュール１０とで、発電有効面のサイズを相違させてもよい。
【００５７】
また、第３枠部３ｃと第４枠部３ｄ内に配置される太陽電池モジュール１０の数は、３つに限定されない。第３枠部３ｃと第４枠部３ｄ内の太陽電池モジュール１０は、発電有効面のサイズが異なる２種類以上の太陽電池モジュール１０を含んでいればよい。
【００５８】
このように、第２の実施形態では、天地方向に沿って配置される第３枠部３ｃと第４枠部３ｄのそれぞれについて、各枠部内に配置される太陽電池モジュール１０の発電有効面のサイズを２種類以上設けて、地面側ほど発電有効面のサイズを大きくするため、各枠部内の各太陽電池モジュール１０の発電電力のばらつきを抑制でき、結果として、枠体３に入射される光の光強度が場所によって変化したとしても、表示装置１全体での発電能力の低下を防止できる。
【００５９】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６０】
１  太陽電池駆動装置、２  表示面、３  枠体、４  太陽電池、５  制御回路、６  電子ペーパー装置、７  第１表示面領域、８  第２表示面領域、９  絵柄フィルム、１１  拡散層、１２  ＰＶ層、１３  表示媒体層、１４  裏面ボード、１５  配線ケーブル、１８  コネクタ
【図２】
2016024374.tif 000003
【図３】
2016024374.tif 000004
【図４】
2016024374.tif 000005
【図５】
2016024374.tif 000006
【図１】
2016024374.tif 000007